(57)【要約】【課題】  本発明は、異物の検出を行い、異物の有無に応じて、給電の制御を行うようにすることを目的とする。【解決手段】  給電装置は、前記給電手段に流れる電流を検出する手段と、前記給電手段の電圧を検出する手段と、前記給電手段に流れる電流が所定の電流よりも小さくない場合であって、前記給電手段の電圧が所定の電圧よりも大きい場合、前記給電手段によって行われる給電を制限するための所定の処理を行う制御手段とを有し、前記給電手段に流れる電流が前記所定の電流よりも小さい場合であって、前記給電手段の電圧が前記所定の電圧よりも大きくない場合、前記制御手段は、前記所定の処理を行う。【選択図】  図２
2014007863.tif 000002
【特許請求の範囲】
【請求項１】
無線給電を行うための給電手段と、
前記給電手段に流れる電流を検出する手段と、
前記給電手段の電圧を検出する手段と、
前記給電手段に流れる電流が所定の電流よりも小さくない場合であって、前記給電手段の電圧が所定の電圧よりも大きい場合、前記給電手段によって行われる給電を制限するための所定の処理を行う制御手段とを有し、
前記給電手段に流れる電流が前記所定の電流よりも小さい場合であって、前記給電手段の電圧が前記所定の電圧よりも大きくない場合、前記制御手段は、前記所定の処理を行うことを特徴とする給電装置。
【請求項２】
前記給電手段に流れる電流が前記所定の電流よりも小さい場合であって、前記給電手段の電圧が前記所定の電圧よりも大きい場合、前記所定の処理は行われないことを特徴とする請求項１に記載の給電装置。
【請求項３】
前記給電手段によって所定の電力が出力される場合、前記所定の電力の反射の値を検出する段をさらに有し、
前記制御手段は、前記反射の値を用いて、前記所定の処理を行うか否かを制御することを特徴とする請求項１または２に記載の給電装置。
【請求項４】
前記反射の値が所定値よりも大きい場合、前記制御手段は、前記所定の処理を行うことを特徴とする請求項３に記載の給電装置。
【請求項５】
前記反射の値を用いて検出される前記所定の電力の反射の変化量が所定の変化量よりも大きい場合、前記制御手段は、前記所定の処理を行うことを特徴とする請求項３または４に記載の給電装置。
【請求項６】
前記給電手段によって、無線通信を行うための電力が出力されている場合、前記給電手段に流れる電流が前記所定の電流よりも小さくない場合であっても、前記所定の処理は行われないことを特徴とする請求項１から５のいずれか１項に記載の給電装置。
【請求項７】
前記給電手段によって、無線通信を行うための電力が出力されている場合、前記給電手段の電圧が前記所定の電圧よりも大きくない場合であっても、前記所定の処理は行われないことを特徴とする請求項１から６のいずれか１項に記載の給電装置。
【請求項８】
温度を検出するための手段を有し、
検出された温度が所定の温度よりも低くない場合、前記制御手段は、前記所定の処理を行うことを特徴とする請求項１から７のいずれか１項に記載の給電装置。
【請求項９】
所定の範囲内に物体が検出された場合、前記制御手段は、前記所定の処理を行い、
前記物体は、前記給電装置から供給される電力を受電する手段を有していないことを特徴とする請求項１から８のいずれか１項に記載の給電装置。
【請求項１０】
前記所定の処理は、前記給電装置によって出力されている電力を所定値よりも小さくするための処理を含むことを特徴とする請求項１から９のいずれか１項に記載の給電装置。
【請求項１１】
前記所定の処理は、前記給電手段に電力の出力を行わせないようにするための処理を含むことを特徴とする請求項１から１０のいずれか１項に記載の給電装置。
【請求項１２】
前記制御手段は、所定の警告が行われた後、前記所定の処理を開始するようにし、
前記所定の警告は、異物が検出されたことを通知するための警告を含むことを特徴とする請求項１から１１に記載の給電装置。
【請求項１３】
無線給電を行うための給電手段を含む給電装置を制御する制御方法であって、
前記給電手段に流れる電流を検出するステップと、
前記給電手段の電圧を検出するステップと、
前記給電手段に流れる電流が所定の電流よりも小さくない場合であって、前記給電手段の電圧が所定の電圧よりも大きい場合、前記給電手段によって行われる給電を制限するための所定の処理を行うステップと、
前記給電手段に流れる電流が前記所定の電流よりも小さい場合であって、前記給電手段の電圧が前記所定の電圧よりも大きくない場合、前記制御手段は、前記所定の処理を行うステップとを有する制御方法。
【請求項１４】
給電手段に流れる電流を検出するステップと、
前記給電手段の電圧を検出するステップと、
前記給電手段に流れる電流が所定の電流よりも小さくない場合であって、前記給電手段の電圧が所定の電圧よりも大きい場合、前記給電手段によって行われる給電を制限するための所定の処理を行うステップと、
前記給電手段に流れる電流が前記所定の電流よりも小さい場合であって、前記給電手段の電圧が前記所定の電圧よりも大きくない場合、前記制御手段は、前記所定の処理を行うステップとをコンピュータに実行させるためのプログラム。
【発明の詳細な説明】
【技術分野】
【０００１】
本発明は、外部に電力を供給する給電装置に関する。
【背景技術】
【０００２】
近年、コネクタで接続することなく無線によって電力を出力するための一次コイルを持つ給電装置と、給電装置から供給される電力を無線で受け付けるための二次コイルを持つ電子機器とを含む給電システムが知られている。
【０００３】
このような給電システムにおいて、電子機器は、給電装置から二次コイルを介して受け付けた電力によって電池の充電を行うことが知られている（特許文献１）。
【先行技術文献】
【特許文献】
【０００４】
【特許文献１】特開２００１−２７５２６６号公報
【発明の概要】
【発明が解決しようとする課題】
【０００５】
従来、給電装置は、一次コイルを介して電子機器に電力を供給し、電子機器は、二次コイルを介して給電装置から供給される電力を受電していた。
【０００６】
しかし、一次コイルと二次コイルとの間に金属等の異物が挿入された場合、給電装置から出力される電力が異物に供給されてしまい、その影響によって、給電装置は、電子機器に対して適切な給電を行えなくなってしまうという問題があった。
【０００７】
このような問題を防止するために、給電装置は、給電を行う際に、給電装置の近傍に異物が存在するか否かの検出を行い、異物が検出された場合、異物に電力が供給されないように給電を制御することが必要となってきている。
【０００８】
そこで、本発明は、異物の検出を行い、異物の有無に応じて、給電の制御を行うようにすることを目的とする。
【課題を解決するための手段】
【０００９】
本発明に係る給電装置は、無線給電を行うための給電手段と、前記給電手段に流れる電流を検出する手段と、前記給電手段の電圧を検出する手段と、前記給電手段に流れる電流が所定の電流よりも小さくない場合であって、前記給電手段の電圧が所定の電圧よりも大きい場合、前記給電手段によって行われる給電を制限するための所定の処理を行う制御手段とを有し、前記給電手段に流れる電流が前記所定の電流よりも小さい場合であって、前記給電手段の電圧が前記所定の電圧よりも大きくない場合、前記制御手段は、前記所定の処理を行うことを特徴とする。
【００１０】
本発明に係る制御方法は、無線給電を行うための給電手段を含む給電装置を制御する制御方法であって、前記給電手段に流れる電流を検出するステップと、前記給電手段の電圧を検出するステップと、前記給電手段に流れる電流が所定の電流よりも小さくない場合であって、前記給電手段の電圧が所定の電圧よりも大きい場合、前記給電手段によって行われる給電を制限するための所定の処理を行うステップと、前記給電手段に流れる電流が前記所定の電流よりも小さい場合であって、前記給電手段の電圧が前記所定の電圧よりも大きくない場合、前記制御手段は、前記所定の処理を行うステップとを有することを特徴とする制御方法である。
【００１１】
本発明に係るプログラムは、給電手段に流れる電流を検出するステップと、前記給電手段の電圧を検出するステップと、前記給電手段に流れる電流が所定の電流よりも小さくない場合であって、前記給電手段の電圧が所定の電圧よりも大きい場合、前記給電手段によって行われる給電を制限するための所定の処理を行うステップと、前記給電手段に流れる電流が前記所定の電流よりも小さい場合であって、前記給電手段の電圧が前記所定の電圧よりも大きくない場合、前記制御手段は、前記所定の処理を行うステップとをコンピュータに実行させるためのプログラムである。
【発明の効果】
【００１２】
本発明によれば、異物の検出を行い、異物の有無に応じて、給電の制御を行うようにすることができる。
【図面の簡単な説明】
【００１３】
【図１】実施例１における給電システムの一例を示す図である。
【図２】実施例１における給電システムのブロック図の一例を示す図である。
【図３】実施例１における給電装置１００の反射電力検出回路１１２の構成の一例を示す図である。
【図４】実施例１における給電装置によって行われる認証処理の一例を示すフローチャートである。
【図５】実施例１における給電装置によって行われる給電制御処理の一例を示すフローチャートである。
【図６】実施例１における給電装置によって行われる異物検出処理の一例を示すフローチャートである。
【発明を実施するための形態】
【００１４】
［実施例１］
以下、本発明の実施例１について、図面を参照して詳細に説明する。実施例１に係る給電システムは、図１に示すように給電装置１００と、電子機器２００とを有する。実施例１における給電システムにおいて、給電装置１００と電子機器２００との距離が所定の範囲内に存在する場合、給電装置１００は、電子機器２００に無線給電を行う。また、給電装置１００と電子機器２００との距離が所定の範囲内に存在する場合、電子機器２００は、給電装置１００から出力される電力を無線により受け付ける。また、給電装置１００と電子機器２００との距離が所定の範囲内に存在しない場合、電子機器２００は、給電装置１００から電力を受け付けることができない。なお、所定の範囲とは、給電装置１００と電子機器２００とが通信を行うことができる範囲であるものとする。
【００１５】
なお、給電装置１００は、複数の電子機器に対しても、並行して電力を無線で供給することができるものであってもよいものとする。
【００１６】
電子機器２００は、カメラ等の撮像装置であってもよく、音声データや映像データの再生を行う再生装置であってもよい。また、電子機器２００、携帯電話やスマートフォンのようなモバイル機器であってもよいものとする。また、電子機器２００は、電池２１１を含む電池パックであってもよい。また、電子機器２００は、給電装置１００から供給される電力によって駆動する車のような装置であってもよい。また、電子機器２００は、テレビジョン放送を受信する装置、映像データを表示するディスプレイ、またはパーソナルコンピュータであってもよいものとする。また、電子機器２００は、電池２１１が装着されていない場合であっても、給電装置１００から供給される電力を用いて動作する装置であってもよい。
【００１７】
図２は、実施例１に係る給電システムのブロック図を示す。給電装置１００は、図２に示すように、変換部１０１、発振器１０２、電力生成部１０３、整合回路１０４、通信部１０５、給電アンテナ１０６、ＣＰＵ１０７、ＲＯＭ１０８、ＲＡＭ１０９、表示部１１０、操作部１１１及び反射電力検出回路１１２を含む。さらに、給電装置１００は、電流検出部１１３、電圧検出部１１４及び温度検出部１１５を有する。
【００１８】
変換部１０１は、不図示のＡＣ電源と給電装置１００とが接続されている場合、不図示のＡＣ電源から供給される交流電力を直流電力に変換し、変換した直流電力を給電装置１００に供給する。
【００１９】
発振器１０２は、変換部１０１から供給される電力をＣＰＵ１０７によって設定された目標値に対応する電力に変換するように電力生成部１０３を制御するために用いられる周波数を発振する。なお、発振器１０２は、水晶振動子等を用いる。
【００２０】
電力生成部１０３は、変換部１０１から供給される電力と、発振器１０２によって発振される周波数とに基づいて、給電アンテナ１０６を介して外部に出力するための電力を生成する。電力生成部１０３は、内部にＦＥＴ等を有し、発振器１０２によって発振される周波数に応じて、内部のＦＥＴのソース・ドレインの端子間に流れる電流を制御し、外部に出力するための電力を生成する。なお、電力生成部１０３によって生成された電力は、反射電力検出回路１１２を介して、整合回路１０４に供給される。また、電力生成部１０３によって生成される電力には、第１の電力と、第２の電力とがある。
【００２１】
第１の電力は、給電装置１００が電子機器２００と無線通信を行うために電子機器２００に供給するための電力である。第２の電力は、給電装置１００が電子機器２００に対して給電を行う場合に電子機器２００に供給するための電力である。例えば、第１の電力は、１Ｗ以下の電力であり、第２の電力は、２Ｗ〜１０Ｗまでの電力である。なお、第２の電力は、１０Ｗ以上の電力であってもよい。なお、第１の電力は、第２の電力よりも低い電力であるものとする。また、第１の電力は、給電装置１００が無線通信を行うために用いられる電力であれば、１Ｗ以下の電力に限られないものとする。
【００２２】
なお、給電装置１００が第１の電力を電子機器２００に供給している場合、通信部１０５は、給電アンテナ１０６を介して電子機器２００とＮＦＣ（Ｎｅａｒ  Ｆｉｅｌｄ  Ｃｏｍｍｕｎｉｃａｔｉｏｎ）規格に準拠した無線通信を行うことができる。ＮＦＣ規格は、例えば、ＩＳＯ／ＩＥＣ  １８０９２に規定されている規格または、ＩＳＯ／ＩＥＣ  ２１４８１に規定されている規格である。しかし、給電装置１００が第２の電力を電子機器２００に供給している場合、通信部１０５は、給電アンテナ１０６を介して電子機器２００とＮＦＣ規格に準拠した無線通信を行うことができないものとする。
【００２３】
整合回路１０４は、給電アンテナ１０６と、給電装置１００の給電対象となる装置が有する受電アンテナとの間で共振を行うための共振回路である。また、整合回路１０４は、電力生成部１０３と給電アンテナ１０６との間のインピーダンスマッチングを行うための回路である。整合回路１０４には、不図示のコイルや不図示のコンデンサが含まれる。
【００２４】
ＣＰＵ１０７は、給電アンテナ１０６の共振周波数ｆを所定の周波数に設定するために、整合回路１０４のインダクタンスの値や、整合回路１０４のキャパシタンスの値を設定する。なお、給電アンテナ１０６の共振周波数ｆは、給電装置１００と、給電装置１００の給電対象となる装置とが共振を行うために用いられる周波数である。
【００２５】
給電装置１００から外部に電力を出力する場合、ＣＰＵ１０７は、給電アンテナ１０６の共振周波数ｆを所定の周波数に設定するために、整合回路１０４のインダクタンスの値や、整合回路１０４のキャパシタンスの値を設定する。所定の周波数は、例えば、１３．５６ＭＨｚの周波数である。さらに、整合回路１０４は、給電アンテナ１０６に流れる電流及び給電アンテナ１０６に供給される電圧の変化を検出することもできる。
【００２６】
なお、給電アンテナ１０６の共振周波数ｆが所定の周波数に設定された状態において、電力生成部１０３によって生成された電力は、整合回路１０４を介して給電アンテナ１０６に供給される。
【００２７】
通信部１０５は、給電装置１００と電子機器２００との間で、ＮＦＣ規格に対応する無線通信を行うために用いられる回路である。給電装置１００が電子機器２００を制御するための制御データ（以下、コマンドと呼ぶ。）を電子機器２００に送信する場合、通信部１０５は、ＮＦＣ規格に対応するプロトコルに基づいて、電力生成部１０３によって生成された電力の変調を行う。
【００２８】
通信部１０５は、電力生成部１０３から供給される第１の電力に対して、振幅変位を利用したＡＳＫ（Ａｍｐｌｉｔｕｄｅ  Ｓｈｉｆｔ  Ｋｅｙｉｎｇ）変調を行うことによって、電子機器２００に送信するコマンドに対応するパルス信号に変換する。その後、通信部１０５は、変換されたパルス信号を給電アンテナ１０６を介して電子機器２００に送信する。電子機器２００に送信されたパルス信号は、電子機器２００に解析され、「１」の情報と、「０」の情報とを含むビットデータとして電子機器２００に検出される。なお、ＡＳＫ変調は、振幅変位を利用した変調であり、ＩＣカードと、カードリーダとの通信等で用いられる。
【００２９】
さらに、通信部１０５は、所定の符合化方式に対応する符合化回路を有する。通信部１０５は、整合回路１０４によって検出される給電アンテナ１０６に流れる電流の変化に応じて、電子機器２００に送信したコマンドに対する電子機器２００からの応答データや電子機器２００からの制御データを符号化回路により復調することができる。このことによって、通信部１０５は、電子機器２００に送信したコマンドに対する応答データや電子機器２００から送信される制御データを、負荷変調方式に基づいて、電子機器２００から受信することができる。
【００３０】
通信部１０５は、ＣＰＵ１０７からの指示に応じてコマンドを電子機器２００に送信する。さらに、通信部１０５は、電子機器２００から応答データや制御データを受信した場合、受信した応答データや制御データを復調してＣＰＵ１０７に供給する。
【００３１】
給電アンテナ１０６は、電力生成部１０３により生成された電力を外部に出力するためのアンテナである。給電装置１００は、給電アンテナ１０６を介して電子機器２００に電力を供給したり、給電アンテナ１０６を介して電子機器２００にコマンドを送信する。また、給電装置１００は、給電アンテナ１０６を介して、電子機器２００から制御データ及び電子機器２００に送信したコマンドに対応する応答データを受信する。
【００３２】
ＣＰＵ（Ｃｅｎｔｒａｌ  Ｐｒｏｃｅｓｓｉｎｇ  Ｕｎｉｔ）１０７は、ＲＯＭ１０８に記憶されているコンピュータプログラムを実行することによって、給電装置１００を制御する。ＣＰＵ１０７は、電力生成部１０３を制御することによって電子機器２００に供給する電力を制御する。
【００３３】
ＲＯＭ１０８は、給電装置１００を制御するコンピュータプログラム及び給電装置１００に関するパラメータ等の情報を記憶する。
【００３４】
ＲＡＭ１０９は、書き換え可能なメモリであり、給電装置１００を制御するコンピュータプログラム、給電装置１００に関するパラメータ等の情報、通信部１０５によって電子機器２００から受信されたデータ等を記録する。
【００３５】
表示部１１０は、ＲＡＭ１０９及びＲＯＭ１０８のいずれか一つから供給される映像データを表示する。
【００３６】
操作部１１１は、給電装置１００を操作するためのユーザインターフェースを提供する。操作部１１１は、給電装置１００の電源ボタン及び給電装置１００のモード切換ボタン等を有し、各ボタンはスイッチ、タッチパネル等により構成される。ＣＰＵ１０７は、操作部１１１を介して入力された入力信号に従って給電装置１００を制御する。
【００３７】
反射電力検出回路１１２は、給電アンテナ１０６によって出力される電力の進行波の振幅電圧Ｖ１を示す情報と、給電アンテナ１０６によって出力される電力の反射波の振幅電圧Ｖ２を示す情報とを検出する。反射電力検出回路１１２によって検出された振幅電圧Ｖ１を示す情報及び振幅電圧Ｖ２を示す情報は、ＣＰＵ１０７に供給される。ＣＰＵ１０７は、反射電力検出回路１１２から供給された振幅電圧Ｖ１を示す情報及び振幅電圧Ｖ２を示す情報をＲＡＭ１０９に記録する。
【００３８】
反射電力検出回路１１２の構成の一例を、図３に示す。反射電力検出回路１１２は、図３に示すように、トロイダルコア３０１、コンデンサ３０２、コンデンサ３０３、ダイオード３０４、抵抗３０５、コンデンサ３０６、コンデンサ３０７、ダイオード３０８及び抵抗３０９を有する。さらに、反射電力検出回路１１２は、Ａ／Ｄコンバータ３１０及びＡ／Ｄコンバータ３１１を有する。
【００３９】
反射電力検出回路１１２は、給電アンテナ１０６によって出力される電力の進行波をＣＭ（誘導性結合及び容量性結合）結合によって、コンデンサ３０７の電圧として検出する。さらに、反射電力検出回路１１２は、検出されたコンデンサ３０７の電圧をＡ／Ｄコンバータ３１０によってアナログ値からデジタル値に変更してからＣＰＵ１０７に供給する。反射電力検出回路１１２は、給電アンテナ１０６によって出力される電力の反射波をＣＭ結合によって、コンデンサ３０３の電圧として検出する。さらに、反射電力検出回路１１２は、検出されたコンデンサ３０３の電圧をＡ／Ｄコンバータ３１１によってアナログ値からデジタル値に変更してからＣＰＵ１０７に供給する。
【００４０】
なお、反射電力検出回路１１２において、トロイダルコア３０１によって誘導性結合が行われ、コンデンサ３０２及びコンデンサ３０６によって容量性結合が行われる。
【００４１】
ＣＰＵ１０７は、Ａ／Ｄコンバータ３１０から供給された電圧を進行波の振幅電圧Ｖ１として検出し、Ａ／Ｄコンバータ３１１から供給された電圧を反射波の振幅電圧Ｖ２として検出する。ＣＰＵ１０７は、進行波の振幅電圧Ｖ１と、反射波の振幅電圧Ｖ２とによって、電圧反射係数ρを取得する。さらに、ＣＰＵ１０７は、電圧反射係数ρによって電圧定在波比ＶＳＷＲ（Ｖｏｌｔａｇｅ  Ｓｔａｎｄｉｎｇ  Ｗａｖｅ  Ｒａｔｉｏ）を定期的に算出する。
【００４２】
電圧定在波比ＶＳＷＲは、給電アンテナ１０６から出力される電力の進行波と、給電アンテナ１０６から出力される電力の反射波との関係を示す値である。電圧定在波比ＶＳＷＲの値が１に近いほど、反射電力が少なく、給電装置１００から外部の電子機器に対して供給される電力の損失が少なく、効率が良い状態であることを示す。
【００４３】
下記の数式（１）は、電圧反射係数ρを示すものとする。
【００４４】
【数１】
2014007863.tif 000003
【００４５】
下記の数式（２）は、電圧定在波比ＶＳＷＲを示すものとする。
【００４６】
【数２】
2014007863.tif 000004
【００４７】
なお、以下、電圧定在波比ＶＳＷＲを「ＶＳＷＲ」と呼ぶ。
【００４８】
ＣＰＵ１０７は、算出されたＶＳＷＲを用いて、給電装置１００の近傍に異物が存在するか否かを検出することができる。なお、異物は、金属やＩＣ（Ｉｎｔｅｇｒａｔｅｄ  Ｃｉｒｃｕｉｔ）カードを含むものとする。さらに、ＣＰＵ１０７は、算出されたＶＳＷＲを用いて、給電装置１００の近傍に電子機器２００が存在するか否かを検出することができる。
【００４９】
電流検出部１１３は、変換部１０１から電力生成部１０３に供給される電流を検出する。電流検出部１１３によって検出された電流を示す情報は、電流検出部１１３からＣＰＵ１０７に供給される。
【００５０】
電圧検出部１１４は、変換部１０１から電力生成部１０３に供給される電圧を検出する。電圧検出部１１４によって検出された電圧を示す情報は、電圧検出部１１４からＣＰＵ１０７に供給される。
【００５１】
温度検出部１１５は、給電装置１００の近傍の温度を検出する。温度検出部１１５は、温度を検出するために使用されるサーミスタ等を含む。温度検出部１１５によって検出された温度を示す情報は、温度検出部１１５からＣＰＵ１０７に供給される。
【００５２】
次に、図２を参照して、電子機器２００の構成の一例について説明を行う。電子機器２００は、受電アンテナ２０１、整合回路２０２、整流平滑回路２０３、通信部２０４、ＣＰＵ２０５、ＲＯＭ２０６、ＲＡＭ２０７、電流・電圧検出部２０８、レギュレータ２０９、充電制御部２１０及び電池２１１を有する。
【００５３】
受電アンテナ２０１は、給電装置１００から供給される電力を受電するためのアンテナである。電子機器２００は、受電アンテナ２０１を介して、給電装置１００から電力を受電したり、給電装置１００とＮＦＣ規格に準拠した無線通信を行う。また、電子機器２００は、受電アンテナ２０１を介して給電装置１００からコマンドを受信した場合、給電装置１００から受信したコマンドに対応する応答データを給電装置１００に送信する。
【００５４】
整合回路２０２は、給電アンテナ１０６の共振周波数ｆと同じ周波数で受電アンテナ２０１が共振するように、インピーダンスマッチングを行うための共振回路である。整合回路２０２は、整合回路１０４と同様に可変コンデンサ、コイル及び抵抗等を有する。整合回路２０２は、給電アンテナ１０６の共振周波数ｆと同じ周波数で受電アンテナ２０１が共振するように、整合回路２０２を制御する。また、整合回路２０２は、受電アンテナ２０１によって受電される電力を整流平滑回路２０３に供給する。
【００５５】
整流平滑回路２０３は、受電アンテナ２０１によって受電された電力からコマンド及びノイズを取り除き、直流電力を生成する。さらに、整流平滑回路２０３は、生成した直流電力を電流・電圧検出部２０８を介してレギュレータ２０９に供給する。整流平滑回路２０３は、受電アンテナ２０１によって受電される電力から取り除いたコマンドを通信部２０４に供給する。整流平滑回路２０３によって生成された直流電力は、レギュレータ２０９に供給される。
【００５６】
通信部２０４は、整流平滑回路２０３から供給されたコマンドをＮＦＣ規格の通信プロトコルに応じて解析し、コマンドの解析結果をＣＰＵ２０５に供給する。給電装置１００から電子機器２００に第１の電力が供給されている場合、ＣＰＵ２０５は、コマンドに対する応答データを給電装置１００に送信するために、通信部２０４に含まれる負荷を変動させるように通信部２０４を制御する。通信部２０４に含まれる負荷が変化する場合、給電アンテナ１０６に流れる電流が変化する。これにより、給電装置１００は、給電アンテナ１０６に流れる電流の変化を検出することによって、電子機器２００から送信されるコマンド対する応答データを受信する。
【００５７】
ＣＰＵ２０５は、通信部２０４から供給されたコマンドの解析結果に応じて、通信部２０４が受信したコマンドがどのコマンドであるかを判定し、受信したコマンドに対応するコマンドコードによって指定されている処理や動作を行うように電子機器２００を制御する。また、ＣＰＵ２０５は、ＲＯＭ２０６に記憶されているコンピュータプログラムを実行することによって、電子機器２００を制御する。
【００５８】
ＲＯＭ２０６は、電子機器２００を制御するコンピュータプログラムを記憶する。また、ＲＯＭ２０６には、電子機器２００に関する情報等が記録される。ＲＡＭ２０７は、書き換え可能なメモリであり、電子機器２００を制御するコンピュータプログラム、給電装置１００から送信されたデータ等を記録する。
【００５９】
電流・電圧検出部２０８は、整流平滑回路２０３から供給される電力の電圧と電流を検出し、検出した電圧情報及び電流情報をＣＰＵ２０５に供給する。
【００６０】
レギュレータ２０９は、ＣＰＵ２０５からの指示に応じて、整流平滑回路２０３から供給される電力及び電池２１１から供給される電力のいずれか一つを電子機器２００に供給するように制御する。
【００６１】
充電制御部２１０は、レギュレータ２０９から電力を供給される場合、電池２１１の充電の制御を行う。電池２１１は、電子機器２００に着脱可能な電池である。また、電池２１１は、充電可能な二次電池であり、例えば、リチウムイオン電池等である。また、電池２１１は、リチウムイオン電池以外のものであっても良いものとする。
【００６２】
なお、給電アンテナ１０６及び受電アンテナ２０１は、ヘリカルアンテナであっても、ループアンテナであってもよく、メアンダラインアンテナ等の平面状のアンテナであってもよいものとする。
【００６３】
実施例１において、給電装置１００は、磁界共鳴方式に基づいて、電子機器２００に無線給電を行うようにしたが、これに限られるものではない。
【００６４】
例えば、給電装置１００は、磁界共鳴方式の代わりに、電界結合に基づいて、電子機器２００に無線給電を行うようにしてもよい。この場合、給電装置１００に電極を設け、電子機器２００に電極を設ける必要があり、給電装置１００の電極から電子機器２００の電極に電力が無線により供給される。
【００６５】
また、例えば、給電装置１００は、磁界共鳴方式の代わりに、電磁誘導に基づいて、電子機器２００に無線給電を行うようにしてもよい。
【００６６】
また、例えば、給電装置１００は、磁界共鳴方式の代わりに、ＷＰＣ（Ｗｉｒｅｌｅｓｓ  Ｐｏｗｅｒ  Ｃｏｎｓｏｒｔｉｕｍ）に規定されている規格（「Ｑｉ」規格）に基づいて、電子機器２００に無線給電を行うようにしてもよい。
【００６７】
また、例えば、給電装置１００は、磁界共鳴方式の代わりに、ＷＰＴ（Ｗｉｒｅｌｅｓｓ  Ｐｏｗｅｒ  Ｔｒａｎｓｍｉｓｓｏｎ）に規定されている規格に基づいて、電子機器２００に無線給電を行うようにしてもよい。
【００６８】
また、例えば、給電装置１００は、磁界共鳴方式の代わりに、ＣＥＡ（Ｃｏｎｓｕｍｅｒ  Ｅｌｅｃｔｒｏｎｉｃｓ  Ａｓｓｏｃｉａｔｉｏｎ）に規定されている規格に基づいて、電子機器２００に無線給電を行うようにしてもよい。
【００６９】
また、例えば、給電装置１００は、磁界共鳴方式の代わりに、ＢＷＦ（Ｂｒｏａｄｂａｎｄ  Ｗｉｒｅｌｅｓｓ  Ｆｏｕｒｕｍ）に規定されている規格に基づいて、電子機器２００に無線給電を行うようにしてもよい。
【００７０】
また、例えば、給電装置１００は、磁界共鳴方式の代わりに、ＴＴＡ（Ｔｅｌｅｃｏｍｍｕｎｉｃａｔｉｏｎｓ  Ｔｅｃｈｎｏｌｏｇｙ  Ａｓｓｏｃｉａｔｉｏｎ）に規定されている規格に基づいて、電子機器２００に無線給電を行うようにしてもよい。
【００７１】
給電装置１００は、無線により電力を電子機器２００に供給するようにした。しかし、「無線」を「非接触」や「無接点」と言い換えてもよいものとする。
【００７２】
実施例１において、給電装置１００は、ＮＦＣ規格に準拠した無線通信を電子機器２００と行うものとする。このため、ＣＰＵ１０７は、給電装置１００において、給電アンテナ１０６の共振周波数ｆが１３．５６ＭＨｚになるように制御するものとする。
【００７３】
（認証処理）
給電装置１００によって行われる認証処理について、図４のフローチャートを用いて説明する。認証処理は、給電装置１００の近傍に置かれた機器と、給電装置１００とが給電のための認証を行う処理である。図４に示す認証処理は、給電装置１００の電源がオンであり、かつ、給電装置１００が電力を出力するためのモードである場合、給電装置１００によって行われる処理である。認証処理は、ＣＰＵ１０７がＲＯＭ１０８に記憶されているコンピュータプログラムを実行することにより実現することができる。
【００７４】
Ｓ４０１において、ＣＰＵ１０７は、給電アンテナ１０６を介して第１の電力を出力するように、発振器１０２、電力生成部１０３及び整合回路１０４を制御する。この場合、本フローチャートは、Ｓ４０１からＳ４０２に進む。
【００７５】
Ｓ４０２において、ＣＰＵ１０７は、ＶＳＷＲの変化量が第１の所定値以上であるか否かを検出する。この場合、ＣＰＵ１０７は、特定のタイミングで算出されたＶＳＷＲの値と、特定のタイミングと異なるタイミングで算出されたＶＳＷＲの値との差分からＶＳＷＲの変化量を算出する。さらに、ＣＰＵ１０７は、算出されたＶＳＷＲの変化量と第１の所定値とを比較する。第１の所定値は、給電装置１００からの所定の範囲内に物体が存在しているか否かを検出するための値である。なお、第１の所定値は、あらかじめＲＯＭ１０８に記録されているものとする。
【００７６】
ＶＳＷＲの変化量が第１の所定値以上であると検出された場合（Ｓ４０２でＹｅｓ）、ＣＰＵ１０７は、給電装置１００からの所定の範囲内に物体が存在していると検出する。この場合（Ｓ４０２でＹｅｓ）、本フローチャートは、Ｓ４０２からＳ４０３に進む。ＶＳＷＲの変化量が第１の所定値以上でないと検出された場合（Ｓ４０２でＮｏ）、ＣＰＵ１０７は、給電装置１００からの所定の範囲内に物体が存在していないと検出する。この場合（Ｓ４０２でＮｏ）、本フローチャートは、Ｓ４０２からＳ４０１に戻る。
【００７７】
Ｓ４０３において、ＣＰＵ１０７は、認証コマンドをＳ４０２において検出された物体に送信するように整合回路１０４及び通信部１０５を制御する。認証コマンドは、Ｓ４０２において検出された物体と給電装置１００との間で、給電のための認証を行うために用いられる。
【００７８】
認証コマンドは、識別情報、受電情報、充電情報及び状態情報をＳ４０２において検出された物体に要求するためのコマンドである。識別情報は、Ｓ４０２において検出された物体のＩＤやアドレスを示す情報である。受電情報は、Ｓ４０２において検出された物体がどれくらいの電力を受け取ることができるのかを示す情報及びＳ４０２において検出された物体が給電装置１００から受電した電力の値を示す情報である。充電情報は、Ｓ４０２において検出された物体に接続される電池の残容量を示す情報及びＳ４０２において検出された物体によって行われる充電に関する情報を含む。状態情報は、Ｓ４０２において検出された物体で行われている動作を示す情報及びＳ４０２において検出された物体で消費される消費電力を示す情報を含む。認証コマンドが送信された場合、ＣＰＵ１０７は、認証コマンドを送信してから経過した時間を計測するようにタイマー１０７ａを制御する。この場合、本フローチャートは、Ｓ４０３からＳ４０４に進む。
【００７９】
Ｓ４０４において、ＣＰＵ１０７は、認証コマンドに対する応答を検出したか否かを判定する。Ｓ４０３において、タイマー１０７ａによって計測された時間が第１の時間Ｔ１以上経過した場合に、認証コマンドに対する応答を検出していないとき、ＣＰＵ１０７は、認証コマンドに対する応答を検出していないと判定する（Ｓ４０４でＮｏ）。この場合（Ｓ４０４でＮｏ）、Ｓ４０２において検出された物体が、給電装置１００と通信を行うことができない状態であると考えられる。このため、給電装置１００は、給電装置１００の近傍に存在する物体に第２の電力を供給したとしても、正常に電力の供給が行われているのか否かを検出することができない。このため、給電装置１００は、給電装置１００と通信を行うことができない状態である物体に対して給電を行わないようにする。そのため、ＣＰＵ１０７によって、認証コマンドに対する応答を検出していないと判定された場合（Ｓ４０４でＮｏ）、本フローチャートは、Ｓ４０４からＳ４０９に進む。
【００８０】
Ｓ４０４において、タイマー１０７ａによって計測された時間が第１の時間Ｔ１以上経過する前に、認証コマンドに対する応答を検出したとき、ＣＰＵ１０７は、認証コマンドに対する応答を検出したと判定する（Ｓ４０４でＹｅｓ）。そのため、ＣＰＵ１０７によって、認証コマンドに対する応答を検出したと判定された場合（Ｓ４０４でＹｅｓ）、本フローチャートは、Ｓ４０４からＳ４０５に進む。なお、検出された認証コマンドに対する応答には、識別情報、受電情報、充電情報及び状態情報が含まれる。ＣＰＵ１０７は、認証コマンドを用いて取得した識別情報、受電情報、充電情報及び状態情報を、ＲＡＭ１０９に記録する。
【００８１】
Ｓ４０５において、ＣＰＵ１０７は、Ｓ４０４において検出された認証コマンドに対する応答に応じて、Ｓ４０２において検出された物体が所定の電子機器であるか否かを判定する。所定の電子機器とは、給電装置１００から第２の電力を受け取るための受電手段を少なくとも含む機器である。例えば、Ｓ４０２において検出された物体が、図２に示される電子機器２００である場合、ＣＰＵ１０７は、Ｓ４０２において検出された物体は、所定の電子機器であると判定する。また、例えば、Ｓ４０２において検出された物体が、ＮＦＣ規格等に規定されているＩＣカードである場合、ＣＰＵ１０７は、Ｓ４０２において検出された物体は、所定の電子機器でないと判定する。また、例えば、Ｓ４０２において検出された物体が、金属である場合、ＣＰＵ１０７は、Ｓ４０２において検出された物体は、所定の電子機器でないと判定する。ＣＰＵ１０７によって、Ｓ４０２において検出された物体が所定の電子機器であると判定された場合（Ｓ４０５でＹｅｓ）、本フローチャートは、Ｓ４０５からＳ４０６に進む。ＣＰＵ１０７によって、Ｓ４０２において検出された物体が所定の電子機器でないと判定された場合（Ｓ４０５でＮｏ）、本フローチャートは、Ｓ４０５からＳ４０８に進む。
【００８２】
Ｓ４０６において、ＣＰＵ１０７は、異物検出処理を行う。異物検出処理は、給電装置１００の近傍に異物が存在するか否かを検出するための処理である。異物検出処理が行われた場合、所定の範囲内に異物が検出されたとき、ＲＡＭ１０９に異物検出フラグが設定される。異物検出フラグとは、所定の範囲内に異物が検出されたことを示す情報である。異物検出処理が行われた場合、所定の範囲内に異物が検出されていないとき、ＲＡＭ１０９に異物検出フラグは設定されない。なお、異物検出処理については、後述する。異物検出処理が行われた場合、本フローチャートは、Ｓ４０６からＳ４０７に進む。
【００８３】
Ｓ４０７において、ＣＰＵ１０７は、ＲＡＭ１０９に異物検出フラグが設定されているか否かに応じて、異物が検出されたか否かを判定する。異物検出フラグが設定されている場合、ＣＰＵ１０７によって、異物が検出されたと判定される（Ｓ４０７でＹｅｓ）。この場合（Ｓ４０７でＹｅｓ）、本フローチャートは、Ｓ４０７からＳ４０８に進む。異物検出フラグが設定されていない場合、ＣＰＵ１０７によって、異物が検出されていないと判定される（Ｓ４０７でＮｏ）。この場合（Ｓ４０７でＮｏ）、本フローチャートは、Ｓ４０７からＳ４１０に進む。
【００８４】
Ｓ４０８において、ＣＰＵ１０７は、異物が検出されたことを示す所定の警告を表示するように表示部１１０を制御する。さらに、ＣＰＵ１０７は、異物を取り除くように促すための情報を表示するように表示部１１０を制御してもよい。さらに、ＣＰＵ１０７は、所定の範囲内に電子機器２００が存在する場合、異物が検出されたことを通知するためのコマンドを電子機器２００に送信するように整合回路１０４及び通信部１０５を制御してもよい。この場合、本フローチャートは、Ｓ４０８からＳ４０９に進む。
【００８５】
Ｓ４０９において、ＣＰＵ１０７は、給電アンテナ１０６を介して出力される電力を制限するための所定の処理を行う。例えば、所定の処理は、給電アンテナ１０６を介して出力される電力を減少させるように電力生成部１０３及び整合回路１０４のいずれか一つをＣＰＵ１０７が制御するための処理を含むものとする。また、例えば、所定の処理は、電力の出力を停止するように電力生成部１０３及び整合回路１０４のいずれか一つをＣＰＵ１０７が制御するための処理を含むものであってもよいものとする。この場合、本フローチャートは、終了する。
【００８６】
Ｓ４１０において、ＣＰＵ１０１は、給電の対象となる機器が選択されたかに否かを検出する。例えば、Ｓ４０２において検出された物体が電子機器２００である場合に、電池２１１が満充電でないことを検出した場合、ＣＰＵ１０７は、給電の対象として、電子機器２００を選択する。なお、Ｓ４０２において検出された物体が電子機器２００である場合に、電池２１１が満充電であることを検出した場合、ＣＰＵ１０７は、給電の対象として、電子機器２００を選択しない。また、Ｓ４０２において検出された物体が電子機器２００である場合に、商用電源がＡＣアダプタを介して電子機器２００に供給されていることが検出された場合、ＣＰＵ１０７は、給電の対象として、電子機器２００を選択しない。ＣＰＵ１０７によって、給電の対象となる機器が選択されていないと検出された場合（Ｓ４１０でＮｏ）、本フローチャートはＳ４１０からＳ４０１に戻る。ＣＰＵ１０７によって、給電の対象となる機器が選択されていると検出された場合（Ｓ４１０でＹｅｓ）、本フローチャートはＳ４１０からＳ４１１に進む。
【００８７】
Ｓ４１１において、ＣＰＵ１０７は、給電制御処理を行う。給電制御処理は、給電対象である機器の状態を確認しながら第２の電力を出力するための処理である。なお、給電制御処理については、後述する。給電制御処理が行われた場合、本フローチャートは、終了する。
【００８８】
実施例１において、所定の電子機器とは、給電装置１００から第２の電力を受け取るための受電手段を少なくとも含む機器であるものとした。しかしながら、所定の電子機器は、受電手段の他にさらに給電装置１００から供給される電力を用いて電池の充電を行うための充電手段を含む機器であってもよい。
【００８９】
（給電制御処理）
次に、図４のフローチャートのＳ４１１において、給電装置１００によって行われる給電制御処理について、図５のフローチャートを用いて説明する。給電制御処理は、ＣＰＵ１０７がＲＯＭ１０８に記憶されているコンピュータプログラムを実行することにより実現することができる。なお、給電の対象に電子機器２００が選択された場合を一例として、以下、給電制御処理について説明する。
【００９０】
Ｓ５０１において、ＣＰＵ１０７は、給電アンテナ１０６を介して第２の電力を出力するように発振器１０２、電力生成部１０３及び整合回路１０４を制御する。第２の電力の出力が開始された場合、ＣＰＵ１０７は、第２の電力の出力を開始してから経過した時間を計測するようにタイマー１０７ａを制御する。なお、第２の電力の値は、電子機器２００の受電情報、充電情報及び状態情報の少なくとも一つに基づいて設定される。この場合、本フローチャートは、Ｓ５０１からＳ５０２に進む。
【００９１】
Ｓ５０２において、ＣＰＵ１０７は、Ｓ４０６と同様に異物検出処理を行う。異物検出処理が行われた場合、本フローチャートは、Ｓ５０２からＳ５０３に進む。
【００９２】
Ｓ５０３において、ＣＰＵ１０７は、Ｓ４０７と同様に、異物が検出されたか否かを判定する。異物が検出されたと判定された場合（Ｓ５０３でＹｅｓ）、本フローチャートは、Ｓ５０３からＳ５１０に進む。異物が検出されていないと判定された場合（Ｓ５０３でＮｏ）、本フローチャートは、Ｓ５０３からＳ５０４に進む。
【００９３】
Ｓ５０４において、ＣＰＵ１０７は、タイマー１０７ａによって計測される時間が給電時間ＴＰ以上経過したか否かを判定する。給電時間ＴＰは、給電装置１００が第２の電力を電子機器２００に出力するための時間である。なお、給電時間ＴＰは、電子機器２００から取得した情報に基づいて、ＣＰＵ１０７により設定されるものとする。なお、給電時間ＴＰを示す情報は、ＲＡＭ１０９に記録されているものとする。ＣＰＵ１０７によって、タイマー１０７ａによって計測される時間が給電時間ＴＰ以上経過したと判定された場合（Ｓ５０４でＹｅｓ）、本フローチャートは、Ｓ５０４からＳ５０５に進む。ＣＰＵ１０７によって、タイマー１０７ａによって計測される時間が給電時間ＴＰ以上経過していないと判定された場合（Ｓ５０４でＮｏ）、本フローチャートは、Ｓ５０４からＳ５０１に戻る。
【００９４】
Ｓ５０５において、ＣＰＵ１０７は、給電アンテナ１０６を介して第１の電力を出力するように発振器１０２、電力生成部１０３及び整合回路１０４を制御する。第１の電力の出力が開始された場合、ＣＰＵ１０７は、第１の電力の出力を開始してから経過した時間を計測するようにタイマー１０７ａを制御する。この場合、本フローチャートは、Ｓ５０５からＳ５０６に進む。
【００９５】
Ｓ５０６において、ＣＰＵ１０７は、状態検出コマンドを電子機器２００に送信するように整合回路１０４及び通信部１０５を制御する。状態検出コマンドは、電子機器２００の状態を検出するために用いられる。状態検出コマンドは、充電情報、受電情報及び状態情報を電子機器２００に要求するためのコマンドである。状態検出コマンドが送信された場合、ＣＰＵ１０７は、状態検出コマンドを送信してから経過した時間を計測するようにタイマー１０７ａを制御する。この場合、本フローチャートは、Ｓ５０６からＳ５０７に進む。
【００９６】
状態検出コマンドを電子機器２００が受信した場合、ＣＰＵ２０５は、充電情報、受電情報及び状態情報を検出する。ＣＰＵ２０５は、電流・電圧検出部２０８から供給される電圧情報及び電流情報から電子機器２００が給電装置１００から受電した電力の値を示す情報を検出し、これを受電情報として検出する。その後、ＣＰＵ２０５は、状態検出コマンドの応答として、充電情報、受電情報及び状態情報を給電装置１００に送信するように通信部２０４を制御する。
【００９７】
Ｓ５０７において、ＣＰＵ１０７は、状態検出コマンドに対する応答を検出したか否かを判定する。ＣＰＵ１０７によって、状態検出コマンドに対する応答を検出していないと判定された場合（Ｓ５０７でＮｏ）、本フローチャートは、Ｓ５０７からＳ５１１に進む。ＣＰＵ１０７によって、状態検出コマンドに対する応答を検出したと判定された場合（Ｓ５０７でＹｅｓ）、本フローチャートは、Ｓ５０７からＳ５０８に進む。なお、ＣＰＵ１０７は、状態検出コマンドを用いて取得した充電情報、受電情報及び状態情報を、ＲＡＭ１０９に記録する。
【００９８】
Ｓ５０８において、ＣＰＵ１０７は、Ｓ４０６と同様に、異物検出処理を行う。異物検出処理が行われた場合、本フローチャートは、Ｓ５０８からＳ５０９に進む。
【００９９】
Ｓ５０９において、ＣＰＵ１０７は、Ｓ４０７と同様に、異物が検出されたか否かを判定する。異物が検出されたと判定された場合（Ｓ５０９でＹｅｓ）、本フローチャートは、Ｓ５０９からＳ５１０に進む。異物が検出されていないと判定された場合（Ｓ５０９でＮｏ）、本フローチャートは、Ｓ５０９からＳ５１２に進む。
【０１００】
Ｓ５１０において、ＣＰＵ１０７は、Ｓ４０８と同様に、異物が検出されたことを示す警告を表示するように表示部１１０を制御する。この場合、本フローチャートは、Ｓ５１０からＳ５１１に進む。
【０１０１】
Ｓ５１１において、ＣＰＵ１０７は、給電アンテナ１０６を介して出力される電力を制限するための所定の処理を行う。例えば、所定の処理は、給電アンテナ１０６を介して出力される電力を減少させるように電力生成部１０３及び整合回路１０４のいずれか一つをＣＰＵ１０７が制御するための処理を含むものとする。また、例えば、所定の処理は、電力の出力を停止するように電力生成部１０３及び整合回路１０４のいずれか一つをＣＰＵ１０７が制御するための処理を含むものであってもよいものとする。また、例えば、所定の処理は、給電アンテナ１０６を介して出力される電力を第２の電力から第１の電力に切り替えるように電力生成部１０３及び整合回路１０４のいずれか一つをＣＰＵ１０７が制御するための処理を含むものであってもよい。この場合、本フローチャートは、終了する。
【０１０２】
Ｓ５１２において、ＣＰＵ１０７は、電子機器２００が所定の範囲内から取り外されたか否かを検出する。
【０１０３】
例えば、ＣＰＵ１０７は、電圧検出部１１４によって検出される電圧が特定の値以上変化していない状態で、ＶＳＷＲが第１の所定値以上変化した場合、電子機器２００が所定の範囲内から取り外されたと検出する。この場合、ＣＰＵ１０７は、電圧検出部１１４によって検出される電圧が特定の値以上変化していない状態で、ＶＳＷＲが第１の所定値以上変化していない場合、電子機器２００が所定の範囲内から取り外されていないと検出する。
【０１０４】
また、例えば、ＣＰＵ１０７は、電流検出部１１３によって検出される電流が特定の値以上変化していない状態で、ＶＳＷＲが第１の所定値以上変化した場合、電子機器２００が所定の範囲内から取り外されたと検出する。この場合、ＣＰＵ１０７は、電流検出部１１３によって検出される電流が特定の値以上変化していない状態で、ＶＳＷＲが第１の所定値以上変化していない場合、電子機器２００が所定の範囲内から取り外されていないと検出する。
【０１０５】
ＣＰＵ１０７によって、電子機器２００が所定の範囲内から取り外されたと検出された場合（Ｓ５１２でＹｅｓ）、本フローチャートは、Ｓ５１２からＳ５１１に進む。ＣＰＵ１０７によって、電子機器２００が所定の範囲内から取り外されていないと検出された場合（Ｓ５１２でＮｏ）、本フローチャートは、Ｓ５１２からＳ５１３に進む。
【０１０６】
Ｓ５１３において、ＣＰＵ１０７は、タイマー１０７ａによって計測される時間が通信時間ＴＣ以上経過したか否かを判定する。通信時間ＴＣは、給電装置１００が第１の電力を電子機器２００に出力するための時間である。なお、通信時間ＴＣは、電子機器２００から取得した情報に基づいて、ＣＰＵ１０７により設定されるものとする。なお、通信時間ＴＣを示す情報は、ＲＡＭ１０９に記録されているものとする。ＣＰＵ１０７によって、タイマー１０７ａによって計測される時間が通信時間ＴＣ以上経過したと判定された場合（Ｓ５１３でＹｅｓ）、本フローチャートは、Ｓ５１３からＳ５０１に戻る。ＣＰＵ１０７によって、タイマー１０７ａによって計測される時間が通信時間ＴＣ以上経過していないと判定された場合（Ｓ５１３でＮｏ）、本フローチャートは、Ｓ５１３からＳ５０５に戻る。
【０１０７】
ＣＰＵ１０７は、タイマー１０７ａによって計測される時間が通信時間ＴＣ以上経過したと判定されるまでの間、定期的に状態検出コマンドを用いて電子機器２００の受電情報を取得する。これは、後述の異物検出処理において、電子機器２００の受電情報が用いられるためである。このため、ＣＰＵ１０７は、タイマー１０７ａによって計測される時間が通信時間ＴＣ以上経過したと判定されるまでの間に、１秒ごとのタイミングで受電情報を電子機器２００から取得したり、１０秒ごとのタイミングで受電情報を電子機器２００から取得する。この場合、ＣＰＵ１０７は、１秒ごとのタイミングで取得された受電情報から電子機器２００が給電装置１００から受電した電力の値の変化量を検出する。このときに、検出された電子機器２００が給電装置１００から受電した電力の値の変化量を「第１の変化量」と呼ぶものとする。さらに、ＣＰＵ１０７は、１０秒ごとのタイミングで取得された受電情報から電子機器２００が給電装置１００から受電した電力の値の変化量を検出する。このときに、検出された電子機器２００が給電装置１００から受電した電力の値の変化量を「第２の変化量」と呼ぶものとする。
【０１０８】
なお、第１の変化量は、１秒ごとのタイミングで取得された受電情報から検出されたものとし、第２の変化量は、１０秒ごとのタイミングで取得された受電情報から検出されたものとしたが、これに限られないものとする。例えば、第１の変化量は、２秒ごとのタイミングで取得された受電情報から検出されたものであってもよく、第２の変化量は、５秒ごとのタイミングで取得された受電情報から検出されたものであってもよい。第１の変化量は、第２の変化量と異なるタイミングで検出された受電情報を用いて検出されるものであればよいものとする。
【０１０９】
（異物検出処理）
次に、図４のフローチャートのＳ４０６、図５のフローチャートのＳ５０２、及び図５のフローチャートのＳ５０８のいずれか一つにおいて、給電装置１００によって行われる異物検出処理について、図６のフローチャートを用いて説明する。異物検出処理は、ＣＰＵ１０７がＲＯＭ１０８に記憶されているコンピュータプログラムを実行することにより実現することができる。なお、所定の範囲内に電子機器２００が存在する場合を一例として、以下、異物検出処理について説明する。
【０１１０】
給電装置１００の近傍に異物が置かれた場合、異物は、給電装置１００から出力される電力によって熱を発生させる場合がある。この場合、給電装置１００の近傍の温度が上昇する可能性がある。
【０１１１】
そこで、Ｓ６０１において、ＣＰＵ１０７は、温度検出部１１５によって検出された温度が第２の所定値以上であるか否かを検出する。第２の所定値は、給電装置１００の近傍に異物が存在するか否かを検出するための所定の温度を示す値である。所定の温度は、例えば、４０℃以上の温度である。なお、第２の所定値は、あらかじめＲＯＭ１０８に記録されているものとする。温度検出部１１５によって検出された温度が第２の所定値以上であると検出された場合（Ｓ６０１でＹｅｓ）、本フローチャートは、Ｓ６０１からＳ６１０に進む。温度検出部１１５によって検出された温度が第２の所定値以上でないと検出された場合（Ｓ６０１でＮｏ）、本フローチャートは、Ｓ６０１からＳ６０２に進む。
【０１１２】
給電装置１００の近傍に異物が置かれた場合、給電装置１００から出力される電力の一部が異物に供給され、電子機器２００が給電装置１００から受電する電力が低下するように変化する場合がある。
【０１１３】
そこで、Ｓ６０２において、ＣＰＵ１０７は、電子機器２００によって受電される受電電力が第３の所定値以上であるか否かを検出する。この場合、ＣＰＵ１０７は、状態検出コマンドを用いて電子機器２００から取得した受電情報に基づいて、電子機器２００が給電装置１００から受電した受電電力の値を検出する。さらにＣＰＵ１０７は、検出された受電電力と第３の所定値とを比較する。第３の所定値は、給電装置１００の近傍に異物が存在するか否かを検出するための電力を示す値である。なお、第３の所定値は、あらかじめＲＯＭ１０８に記録されているものとする。電子機器２００の受電電力が第３の所定値以上であると検出された場合（Ｓ６０２でＹｅｓ）、本フローチャートは、Ｓ６０２からＳ６０３に進む。電子機器２００の受電電力が第３の所定値以上でないと検出された場合（Ｓ６０２でＮｏ）、本フローチャートは、Ｓ６０２からＳ６１１に進む。
【０１１４】
Ｓ６０３において、ＣＰＵ１０１は、第１の変化量が第４の所定値よりも小さいか否かを検出する。第４の所定値は、給電装置１００の近傍に異物が存在するか否かを検出するための電力の変化量を示す値である。なお、第４の所定値は、あらかじめＲＯＭ１０８に記録されているものとする。第１の変化量が第４の所定値よりも小さいと検出された場合（Ｓ６０３でＹｅｓ）、本フローチャートは、Ｓ６０３からＳ６０１に戻る。第１の変化量が第４の所定値よりも小さくないと検出された場合（Ｓ６０３でＮｏ）、本フローチャートは、Ｓ６０３からＳ６０４に進む。なお、第１の変化量が第４の所定値よりも小さいと検出された場合（Ｓ６０３でＹｅｓ）、ＣＰＵ１０５は、給電装置１００の近傍に異物が置かれていないと判定し、再び、Ｓ６０１の処理を行う。
【０１１５】
Ｓ６０４において、ＣＰＵ１０１は、第２の変化量が第５の所定値よりも小さいか否かを検出する。第５の所定値は、給電装置１００の近傍に異物が存在するか否かを検出するための電力の変化量を示す値である。なお、第５の所定値は、あらかじめＲＯＭ１０８に記録されているものとする。第２の変化量が第５の所定値よりも小さいと検出された場合（Ｓ６０４でＹｅｓ）、本フローチャートは、Ｓ６０４からＳ６０１に戻る。第２の変化量が第５の所定値よりも小さくないと検出された場合（Ｓ６０４でＮｏ）、本フローチャートは、Ｓ６０４からＳ６０５に進む。なお、第２の変化量が第５の所定値よりも小さいと検出された場合（Ｓ６０４でＹｅｓ）、ＣＰＵ１０５は、給電装置１００の近傍に異物が置かれていないと判定し、再び、Ｓ６０１の処理を行う。
【０１１６】
Ｓ６０５において、ＣＰＵ１０１は、給電アンテナ１０６を介して出力されている電力が第６の所定値以上であるか否かを検出する。第６の所定値は、給電装置１００が出力している電力が第１の電力であるか、第２の電力であるかを判定するための電力を示す値である。なお、第６の所定値は、あらかじめＲＯＭ１０８に記録されているものとする。給電アンテナ１０６を介して出力されている電力が第６の所定値以上であると検出された場合（Ｓ６０５でＹｅｓ）、ＣＰＵ１０５は、給電アンテナ１０６を介して出力されている電力が第２の電力であると判定する。この場合、ＣＰＵ１０５は、給電装置１００がＮＦＣ規格に準拠した無線通信を行っていないと判定する。給電アンテナ１０６を介して出力されている電力が第６の所定値以上であると検出された場合（Ｓ６０５でＹｅｓ）、本フローチャートは、Ｓ６０５からＳ６０６に進む。
【０１１７】
給電アンテナ１０６を介して出力されている電力が第６の所定値以上でないと検出された場合（Ｓ６０５でＮｏ）、ＣＰＵ１０５は、給電アンテナ１０６を介して出力されている電力が第１の電力であると判定する。この場合、ＣＰＵ１０５は、給電装置１００がＮＦＣ規格に準拠した無線通信を行っていると判定する。給電アンテナ１０６を介して出力されている電力が第６の所定値以上でないと検出された場合（Ｓ６０５でＮｏ）、本フローチャートは、Ｓ６０５からＳ６０８に進む。
【０１１８】
給電装置１００の近傍に異物が置かれた場合、異物の影響により給電装置１００に流れる電流が急激に上昇する場合がある。
【０１１９】
そこで、Ｓ６０６において、ＣＰＵ１０７は、電流検出部１１３によって検出された電流が第７の所定値以上であるか否かを検出する。第７の所定値は、給電装置１００の近傍に異物が存在するか否かを検出するための所定の電流を示す値である。なお、第７の所定値は、あらかじめＲＯＭ１０８に記録されているものとする。電流検出部１１３によって検出された電流が第７の所定値以上であると検出された場合（Ｓ６０６でＹｅｓ）、本フローチャートは、Ｓ６０６からＳ６１０に進む。電流検出部１１３によって検出された電流が第７の所定値以上でないと検出された場合（Ｓ６０６でＮｏ）、本フローチャートは、Ｓ６０６からＳ６０７に進む。
【０１２０】
給電装置１００の近傍に異物が置かれた場合、異物の影響により給電装置１００内の電圧が急激に低下する場合がある。
【０１２１】
そこで、Ｓ６０７において、ＣＰＵ１０７は、電圧検出部１１４によって検出された電圧が第８の所定値以下であるか否かを検出する。第８の所定値は、給電装置１００の近傍に異物が存在するか否かを検出するための所定の電圧を示す値である。なお、第８の所定値は、あらかじめＲＯＭ１０８に記録されているものとする。
【０１２２】
電圧検出部１１４によって検出された電圧が第８の所定値以下であると検出された場合（Ｓ６０７でＹｅｓ）、本フローチャートは、Ｓ６０７からＳ６１０に進む。電圧検出部１１４によって検出された電圧が第８の所定値以下でないと検出された場合（Ｓ６０７でＮｏ）、本フローチャートは、Ｓ６０７からＳ６０８に進む。
【０１２３】
給電装置１００の近傍に異物が置かれた場合、異物の影響により給電装置１００から出力される電力の反射が急激に増大し、ＶＳＷＲが急激に増大するように変化する場合がある。
【０１２４】
そこで、Ｓ６０８において、ＣＰＵ１０７は、ＶＳＷＲの変化量が第９の所定値以上であるか否かを検出する。第９の所定値は、給電装置１００の近傍に異物が存在するか否かを検出するためのＶＳＷＲの変化量を示す値である。なお、第９の所定値は、あらかじめＲＯＭ１０８に記録されているものとする。なお、第９の所定値は、第１の所定値よりも大きい値である。例えば、第９の所定値は、１以上の値であるものとする。ＶＳＷＲの変化量が第９の所定値以上であると検出された場合（Ｓ６０８でＹｅｓ）、本フローチャートは、Ｓ６０８からＳ６１０に進む。ＶＳＷＲの変化量が第８の所定値以上でないと検出された場合（Ｓ６０８でＮｏ）、本フローチャートは、Ｓ６０８からＳ６０９に進む。
【０１２５】
Ｓ６０９において、ＣＰＵ１０７は、ＲＡＭ１０９の異物検出フラグを解除する。この場合、本フローチャートは、終了する。なお、ＲＡＭ１０９に異物検出フラグが設定されていない場合、Ｓ６０９の処理を省略してもよい。
【０１２６】
Ｓ６１０において、ＣＰＵ１０７は、ＲＡＭ１０９の異物検出フラグを設定する。この場合、本フローチャートは、終了する。
【０１２７】
給電装置１００の近傍に異物が置かれた場合、異物の影響により給電装置１００から出力される電力の反射が急激に増大し、ＶＳＷＲが急激に増大するように変化する場合がある。
【０１２８】
Ｓ６１１において、ＣＰＵ１０７は、ＶＳＷＲの値が第１０の所定値以上であるか否かを検出する。第１０の所定値は、給電装置１００の近傍に異物が存在するか否かを検出するためのＶＳＷＲを示す値である。なお、第１０の所定値は、あらかじめＲＯＭ１０８に記録されているものとする。なお、例えば、第１０の所定値は、２〜３以上の値であるものとする。ＶＳＷＲの値が第１０の所定値以上であると検出された場合（Ｓ６１１でＹｅｓ）、本フローチャートは、Ｓ６１１からＳ６０８に進む。ＶＳＷＲの値が第１０の所定値以上でないと検出された場合（Ｓ６１１でＮｏ）、本フローチャートは、Ｓ６１１からＳ６０３に進む。
【０１２９】
なお、第１の変化量が第４の所定値よりも小さいと検出された場合（Ｓ６０３でＹｅｓ）、ＣＰＵ１０５は、再び、Ｓ６０１の処理を行うようにしたが、これに限られないものとする。例えば、第１の変化量が第４の所定値よりも小さいと検出された場合（Ｓ６０３でＹｅｓ）、ＣＰＵ１０７は、Ｓ６０８〜Ｓ６１０の処理を行うようにしてもよい。
【０１３０】
なお、第２の変化量が第５の所定値よりも小さいと検出された場合（Ｓ６０４でＹｅｓ）、ＣＰＵ１０５は、再び、Ｓ６０１の処理を行うようにしたが、これに限られないものとする。例えば、第２の変化量が第５の所定値よりも小さいと検出された場合（Ｓ６０４でＹｅｓ）、ＣＰＵ１０７は、Ｓ６０８〜Ｓ６１０の処理を行うようにしてもよい。
【０１３１】
なお、給電アンテナ１０６を介して出力されている電力が第６の所定値以上でないと検出された場合（Ｓ６０５でＮｏ）、ＣＰＵ１０５は、Ｓ６０６及びＳ６０７の処理において、正確に異物を検出することができなくなる。これは、給電装置１００がＮＦＣ規格に準拠した無線通信を行っている場合、電流検出部１１３及び電圧検出部１１４がＮＦＣ規格に準拠した無線通信によって影響を受けて、電流及び電圧の検出を正確に行えなくなる可能性があるためである。このため、給電アンテナ１０６を介して出力されている電力が第６の所定値以上でないと検出された場合（Ｓ６０５でＮｏ）、ＣＰＵ１０７は、Ｓ６０６及びＳ６０７の処理を行うことなく、Ｓ６０８の処理を行うようにする。
【０１３２】
このように、実施例１における給電装置１００は、給電装置１００の近傍に異物が存在するか否かを検出するようにした。さらに、給電装置１００は、給電装置１００の近傍に異物が存在するか否かに応じて、電力の出力を制限するようにした。
【０１３３】
給電装置１００は、給電装置１００の近傍に存在する物体が所定の電子機器でない場合（Ｓ４０５でＮｏ）、電力の出力を制限するようにした。これにより、給電装置１００は、異物に電力を供給することを防止することができるため、給電装置１００の近傍に存在する他の電子機器に異物による影響を与えないようにすることができる。この場合において、異物がＩＣカードである場合、給電装置１００は、給電装置１００から出力される電力からＩＣカードを保護することもできる。
【０１３４】
また、給電装置１００は、温度検出部１１５によって検出された温度が第２の所定値以上である場合（Ｓ６０１でＹｅｓ）、電力の出力を制限するようにした。これにより、給電装置１００は、異物に電力を供給することを防止することができ、給電装置１００の近傍に存在する他の電子機器に異物による影響を与えないようにすることができる。
【０１３５】
また、給電装置１００は、電流検出部１１３によって検出された電流が第７の所定値以上である場合（Ｓ６０６でＹｅｓ）、電力の出力を制限するようにした。これにより、給電装置１００は、異物に電力を供給することを防止することができ、給電装置１００の近傍に存在する他の電子機器に異物による影響を与えないようにすることができる。
【０１３６】
また、給電装置１００は、電圧検出部１１４によって検出された電圧が第８の所定値以下である場合（Ｓ６０７でＹｅｓ）、電力の出力を制限するようにした。これにより、給電装置１００は、異物に電力を供給することを防止することができ、給電装置１００の近傍に存在する他の電子機器に異物による影響を与えないようにすることができる。
【０１３７】
また、給電装置１００は、ＶＳＷＲの変化量が第９の所定値以上であると検出された場合（Ｓ６０８でＹｅｓ）、電力の出力を制限するようにした。これにより、給電装置１００は、異物に電力を供給することを防止することができ、給電装置１００の近傍に存在する他の電子機器に異物による影響を与えないようにすることができる。
【０１３８】
したがって、実施例１に係る給電装置１００は、異物の検出を行い、異物の有無に応じて、給電の制御を適正に行うようにすることができる。
【０１３９】
実施例１において、電流検出部１１３は、変換部１０１から電力生成部１０３に供給される電流を検出するようにした。しかし、これに限られないものとする。例えば、電流検出部１１３は、変換部１０１から電力生成部１０３に供給される電流の代わりに反射電力検出回路１１２に流れる電流を検出するようにしてもよい。また、例えば、電流検出部１１３は、変換部１０１から電力生成部１０３に供給される電流の代わりに整合回路１０４に流れる電流を検出するようにしてもよい。例えば、電流検出部１１３は、変換部１０１から電力生成部１０３に供給される電流の代わりに給電アンテナ１０６に流れる電流を検出するようにしてもよい。
【０１４０】
実施例１において、電圧検出部１１４は、変換部１０１から電力生成部１０３に供給される電圧を検出するようにした。しかし、これに限られないものとする。例えば、電圧検出部１１４は、変換部１０１から電力生成部１０３に供給される電圧の代わりに反射電力検出回路１１２の電圧を検出するようにしてもよい。また、例えば、電圧検出部１１４は、変換部１０１から電力生成部１０３に供給される電圧の代わりに整合回路１０４の電圧を検出するようにしてもよい。例えば、電圧検出部１１４は、変換部１０１から電力生成部１０３に供給される電圧の代わりに給電アンテナ１０６の電圧を検出するようにしてもよい。
【０１４１】
なお、実施例１において、給電装置１００は、ＶＳＷＲを用いて、異物を検出するようにしたが、これに限られないものとする。給電装置１００は、ＶＳＷＲの代わりに、定在波比ＳＷＲ（Ｓｔａｎｄｉｎｇ  Ｗａｖｅ  Ｒａｔｉｏ）を用いて、異物を検出するようにしても良いものとする。また、給電装置１００は、ＶＳＷＲの代わりに、給電アンテナ１０６から出力される電力の反射を示す情報を用いて、異物を検出するようにしても良いものとする。
【０１４２】
実施例１において、給電装置１００及び電子機器２００は、ＮＦＣ規格に準拠した無線通信を行うものとした。しかし、給電装置１００及び電子機器２００は、近接無線通信を行うものであれば、ＮＦＣ規格に準拠した無線通信以外の近接無線通信を行うものであっても良いものとする。給電装置１００及び電子機器２００は、ＮＦＣ規格に準拠した無線通信の代わりに、ＦｅｌｉＣａ（登録商標）規格に準拠した無線通信を行うものであってもよいものとする。また、給電装置１００及び電子機器２００は、ＮＦＣ規格に準拠した無線通信の代わりに、ＲＦＩＤ（Ｒａｄｉｏ  Ｆｒｅｑｕｅｎｃｙ  ＩＤｅｎｔｉｆｉｃａｔｉｏｎ）に準拠した無線通信を行うものであってもよいものとする。また、給電装置１００及び電子機器２００は、ＮＦＣ規格に準拠した無線通信の代わりに、ＭＩＦＡＲＥ（登録商標）規格（ＩＳＯ／ＩＥＣ  １４４４３）に準拠した無線通信を行うものであってもよいものとする。また、給電装置１００及び電子機器２００は、ＮＦＣ規格に準拠した無線通信の代わりに、ＴｒａｎｓｆｅｒＪｅｔ（登録商標）規格に準拠した無線通信を行うものであってもよいものとする。
【０１４３】
また、実施例１において、給電装置１００と電子機器２００との間で共振を行うために、給電アンテナ１０６の共振周波数及び受電アンテナ２０１の共振周波数が１３．５６ＭＨｚになるようにした。しかし、これに限られないものとする。例えば、給電装置１００及び電子機器２００が、ＮＦＣ規格に準拠した無線通信の代わりに、ＴｒａｎｓｆｅｒＪｅｔ規格に準拠した無線通信を行う場合、給電アンテナ１０６の共振周波数及び受電アンテナ２０１の共振周波数が４．４８ＧＨｚになるようにする。また、給電装置１００が磁界共鳴方式の代わりに、Ｑｉ規格に対応する無線給電を行う場合、給電アンテナ１０６の共振周波数及び受電アンテナ２０１の共振周波数が１００ｋＨｚ〜２５０ｋＨｚの間のいずれか一つの周波数になるようにしてもよい。また、給電アンテナ１０６の共振周波数及び受電アンテナ２０１の共振周波数が６．７８ＭＨｚ、または数百ｋＨｚ以下の周波数になるようにしてもよい。
【０１４４】
また、実施例１において、給電装置１００は、ＮＦＣ規格に準拠した無線通信と、給電とを給電アンテナ１０６を用いて行うようにした。しかし、給電装置１００は、ＮＦＣ規格に準拠した無線通信を行うためのアンテナと、給電を行うためのアンテナとを別に持つものであってもよいものとする。
【０１４５】
（他の実施例）
本発明に係る給電装置１００は、実施例１で説明した給電装置１００に限定されるものではない。例えば、本発明に係る給電装置１００は、複数の装置から構成されるシステムにより実現することも可能である。
【０１４６】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１４７】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１４８】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１４９】
１００  給電装置
２００  電子機器
【図１】
2014007863.tif 000005
【図２】
2014007863.tif 000006
【図３】
2014007863.tif 000007
【図４】
2014007863.tif 000008
【図５】
2014007863.tif 000009
【図６】
2014007863.tif 000010